(57)【要約】【課題】セットされた記録媒体の規格や種類の識別に要求される時間を短縮可能な情報記録再生装置およびその記録再生方法を提供する。【解決手段】この発明の記録再生装置１は、通信網を経由して供給される動作指示（３０１）を受け付け、受け付けた動作指示の内容を解析し、解析された動作指示に従って、その動作指示に対応する動作を実行（３０２）し、動作指示が実行された結果を動作指示供給元に報知（３０３）することが可能である。【選択図】  図２
2006155806.tif 000002
【特許請求の範囲】
【請求項１】
情報を記録し、あるいは既に記録されている情報を再生する記録再生装置において、
外部から供給される動作指示を受け付ける指示受付手段と、
この指示受付手段により受け付けた動作指示の内容を解析する解析手段と、
この解析手段により解析された動作指示に従って、その動作指示に対応する動作を実行させる制御手段と、
この制御手段の制御により動作指示が実行された結果を動作指示供給元に報知する結果報知手段と、
を有することを特徴とする記録再生装置。
【請求項２】
前記指示受付手段は、通信網を介して供給されるコマンド群を受け付けることを特徴とする請求項１記載の記録再生装置。
【請求項３】
前記制御手段は、通信網に対して動作指示のあることの確認および結果を報知するためのアクセスが可能であることを特徴とする請求項１記載の記録再生装置。
【請求項４】
前記制御手段は、既に指定されている別の動作と重なるような指示を受け付けた場合、その指示された動作を実行できないことを、報知可能であることを特徴とする請求項１記載の記録再生装置。
【請求項５】
前記制御手段は、既に予約されている日時情報の保持と日時の管理が可能で、指示された動作と保持している予約の日時情報が重なることをチェック可能であることを特徴とする請求項４記載の記録再生装置。
【請求項６】
情報を記録し、あるいは既に記録されている情報を再生する記録再生装置において、
外部から供給される動作指示を受け付け、
受け付けた動作指示の内容を解析し、
解析された動作指示に従って、その動作指示に対応する動作を実行させ、
動作指示が実行された結果を動作指示供給元に報知する    
ことを特徴とする記録再生装置の制御方法。
【請求項７】
情報を記録し、あるいは既に記録されている情報を再生する記録再生装置において、
外部から供給される動作指示を受け付け、
受け付けた動作指示の内容を解析し、
解析された動作指示が既に指定されている別の動作と重なることが検知された場合に、その動作指示に対応する動作を実行できないことを、動作指示供給元に報知する    
ことを特徴とする記録再生装置の制御方法。
【発明の詳細な説明】
【技術分野】
【０００１】
この発明は、情報の記録および再生が可能な情報記録再生装置に係り、特に情報の記録開始および記録終了、あるいは情報記録再生装置内における編集等を、外部から設定可能な情報記録再生装置および情報記録再生方法に関する。
【背景技術】
【０００２】
例えば画像情報や音声情報等を含むビデオデータおよび制御情報が記録されている記録媒体を再生または記録する情報記録再生装置においては、記録開始日時／記録終了日時、記録ソース（供給元）、記録レートおよび記録方式（音声記録形式）等（以下、記録予約条件と略称する）が、装置本体または付属するリモコン装置から設定されると、記録予約された日時に、所定の記録レートおよび記録方式で、希望（設定）した記録ソースからの情報が記録される。
【０００３】
今日、通信網の普及に伴い、通信網を用いて供給される記録予約条件を受け取り、その記録予約条件に従って、記録予約条件に示された情報を記録可能な情報記録再生装置が、提案されている。
【０００４】
例えば、携帯電話より供給される電子メールを、インターネットを経由して受け取り、受け取った電子メールをタイマー予約設定情報に変換し、予約記録を設定可能な記録再生装置が提案されている。なお、記録を終了すると携帯電話に記録終了メールが送信可能であることが示されている（例えば、特許文献１参照）。
【特許文献１】特開２００２−２７３７１号公報  例えば、電子メールを、インターネットを経由して受け取るため、装置本体の２次回路以外の動作を所定のタイミングで起動させることのできる主電源内部制御可能型スイッチにより、電子メールを受け取るために、装置本体を起動させる記録再生装置が提案されている（例えば、特許文献２参照）。
【特許文献２】特開２００４−１８６８０９号公報  例えば、受信したメールに含まれる録画制御情報に対応する録画予約ができない場合、予約ができないことを返信することが可能な記録再生装置が提案されている（例えば、特許文献３参照）。
【特許文献３】特開２００４−１８６７２０号公報
【発明の開示】
【発明が解決しようとする課題】
【０００５】
特許文献１の記録再生装置には、インターネットを経由して受け取り、受け取った電子メールをタイマー予約設定情報に変換して予約記録を設定可能であることは、開示されているが、記録再生装置の非動作時（待機時）に、例えば既に記録されている情報の編集やハードディスクからＤＶＤ規格の光ディスク等への（媒体間の）転送（複製）等に関する記載は見られない。
【０００６】
特許文献２の記録再生装置には、電子メールを受け取るために、所定のタイミングで、装置本体を起動させることができるとの記載があるが、特許文献１同様、記録再生装置の非動作時（待機時）に、例えば既に記録されている情報の編集や媒体間の転送（複製）等に関する記載は見られない。
【０００７】
特許文献３の記録再生装置には、受け取った電子メールにより指示された録画制御情報に対応する予約ができない場合に、予約ができないことを返信することが記載されているが、特許文献１，２同様、記録再生装置の非動作時（待機時）に、例えば既に記録されている情報の編集や媒体間の転送（複製）等に関する記載は見られない。
【０００８】
この発明の目的は、記録再生装置の非動作時（待機時）に、既に記録されている情報の編集やハードディスクからＤＶＤ規格の光ディスク等への媒体間の転送が可能な情報記録再生装置およびその記録再生方法を提供することである。
【課題を解決するための手段】
【０００９】
この発明は、上記問題点に基づきなされたもので、情報を記録し、あるいは既に記録されている情報を再生する記録再生装置において、外部から供給される動作指示を受け付ける指示受付手段と、この指示受付手段により受け付けた動作指示の内容を解析する解析手段と、この解析手段により解析された動作指示に従って、その動作指示に対応する動作を実行させる制御手段と、この制御手段の制御により動作指示が実行された結果を動作指示供給元に報知する結果報知手段と、を有することを特徴とする記録再生装置、を提供するものである。
【発明の効果】
【００１０】
本発明によれば、外出先などからでも記録再生装置の状態を知り、各種操作することができる。また、スケジューリング機能を設けたことで、予約記録などと重ならないように操作設定したり、複数の操作を組み合わせたりすることができる。
【発明を実施するための最良の形態】
【００１１】
以下、図面を参照して、この発明の実施の形態について詳細に説明する。
【００１２】
図１は、メールにより、情報記録再生装置を、外部からリモート操作するための構成の一例を示す。
【００１３】
図１に示されるように、情報記録再生装置１は、詳述しないが電子メールの送信および受信が可能な通信制御部を有し、外部から電子メールの送信および受信が可能な通信端末２０１と、通信網１００を介して接続される。
【００１４】
メール端末２０１は、例えばパーソナルコンピュータや携帯電話であり、メールの送信と受信が可能であれば特に制限を受けるものではない。
【００１５】
通信網１００は、例えばインターネット網であり、メール端末２０１により送信されたメールを情報記録再生装置１が受信可能な（通信）環境を提供する。もちろん、ローカルエリアネットワーク等であってもよい。
【００１６】
情報記録再生装置１は、例えばハードディスクに情報が記録可能なハードディスク装置（以下、ＨＤＤと略称する）等であり、情報供給元（配信元）から空間波によりあるいはケーブル等を介して供給される映像および音声情報を、所定時間（今日では数百時間）、記録可能である。なお、記録再生装置１には、スケジューリング（予約の保持とタイマーによる日時管理）機能が与えられている。従って、タイマーにより指定された時間が検知されると、予め指示されている任意の動作（予約記録等）が実行される。
【００１７】
情報記録再生装置１には、情報記録再生装置が記録（録画）すべき画像情報や制御情報を表示可能な表示装置９９が接続可能である。表示装置９９は、例えばＬＣＤ（液晶表示装置）やＣＲＴモニタ装置もしくはテレビ受像機等の映像が表示可能な任意の装置が利用可能である。
【００１８】
まず、メール端末２０１から記録再生装置１へ各種指示メールを送信する動作について説明する。
【００１９】
メール端末２０１において、予め決められた書式で、指示メールが作成される。
【００２０】
メール端末２０１から、指示メールが送信される。送信されたメールは、通信網の規則に従って、図示しないサーバに保管される。なお、メール端末が携帯電話である場合は、図示しないサーバから情報記録再生装置１に、指示メールが着信したことが報知される。
【００２１】
情報記録再生装置１は、メール内容が特定の形式である場合に、そのメール内容に指示された所定の動作を実行可能に、メール解析プログラムを保持し、所定タイミングで通信網から指示メールを受信し、メール内容を解析する。
【００２２】
従って、記録再生装置１では、受信したメールにおいて指示された動作、例えば新たな記録予約の追加、既に記録済みである情報の編集や媒体間転送（複製）等を実行する。
【００２３】
次に、記録再生装置１からメール端末２０１へ結果メールを送信する動作（返信動作）について説明する。
【００２４】
記録再生装置１の、例えば図示しない通信制御部においては、予め決められた書式で、結果メールが作成される。
【００２５】
作成された結果メールは、通信網の図示しないサーバに向けて送信され、サーバに保管される。
【００２６】
従って、メール端末２０１側で、記録再生装置１の動作の結果を確認できる。
【００２７】
図２は、メール端末２０１から記録再生装置１に対し、ＨＤＤ等にある記録済みデータの一覧を取得する指示の場合を例に、操作の流れを示す。
【００２８】
例えば、メール端末２０１から記録再生装置１に、ＨＤＤ等にある「記録済みデータの一覧」を取得する指示の内容のメールが送信される（３０１）。なお、メールの内容としては、周知の「バッチファイル」と呼ばれるコマンド群であり、例えば「get password hdd title」等の図示しないリモコンや装置１本体に設けられているボタンやダイヤル等の入力装置では、実現できないものが含まれていてもよい。また、コマンドの処理に一定時間かかる場合には、ＷＡＩＴ等のコマンドを用いることもある。
【００２９】
記録再生装置１では、所定タイミングあるいは一定時間ごとにメールが受信され、そのメールの内容が解析される。すなわち、図２の例では、ＨＤＤにある『「記録済みデータの一覧」を取得し、その「一覧」を送信する』ことが指示される。
【００３０】
記録再生装置１では、受信メールの指示に基づいて、「記録済みデータの一覧」が取得され（３０２）、その「一覧」が送信される（３０３）。
【００３１】
メール端末２０１側においては、通信網のサーバへのアクセスにより、記録再生装置１からの結果メールが受信される。
【００３２】
従って、記録再生装置１のＨＤＤにある「記録済みデータの一覧」が外部から取得可能である。
【００３３】
図３は、メール端末２０１から記録再生装置１に対し、ダビングを指示する場合の例を示す。
【００３４】
メール端末２０１から、記録再生装置１のＨＤＤにある「記録済みデータのタイトルのダビング（複製）」と、そのダビングを実行する「時間」を指示する内容のメールが送信される（４０１）。
【００３５】
記録再生装置１では、受信メールの内容が解析される。
【００３６】
また、解析によって得られた実行すべき動作が、既に記録再生装置１側で保持している別の動作と重なることがないが、チェックされる。すなわち、既に記録再生装置１に指示されている記録予約の時間と、指示された時間が重なることがないかがチェックされる。
【００３７】
記録再生装置１では、メールにより指示された動作が実行可能であれば、その動作終了（４０２）後、動作が終了したことを示す結果メールが送信される（４０３）。
【００３８】
記録再生装置１では、メールチェックの結果、メールにより指示された動作が（既に指定されている別の動作のために）実行できない場合と判定できた場合、実行できないことを示す応答メールが送信される。
【００３９】
メール端末２０１では、メールを受信して、ダビングの終了または非実行（応答メールによる）を知ることができる。
【００４０】
なお、メールの指示は、例えば「ＨＤＤに既に記録されている特定のデータ（情報）をＤＶＤ−ＲＡＭディスクに転送し、ＨＤＤのデータを消去する」等、通常の記録再生装置１において実行可能な内容であれば、その種類は制限を受けないことはいうまでもない。例えば、ダビング時に、記録されているビットレートとは異なるビットレートによる記録等が指示されてもよい。
【００４１】
以上説明したように、本発明の情報記録再生装置においては、記録条件が含まれている記録予約メールを取得することにより、装置本体あるいはリモコン装置による記録予約の困難な条件下で情報の記録開始および記録終了が設定可能で、例えば外出先等から、記録再生装置の状態を知り、各種操作を実行させることができる。
【００４２】
なお、スケジューリング機能により、既に記録再生装置に指定されている別の動作と重なり実行できないような指示メールを受信した場合には、記録予約による予約記録と重ならないように操作設定したり、複数の操作を組み合わせたりすることができる。
【００４３】
また、終了音等を出力可能な装置であれば、記録再生装置以外のさまざまな装置に適用可能である。
【００４４】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【００４５】
例えば、メールによる指示に代えて、ＦＴＰ，ＨＴＴＰ等を利用することも可能である。
【図面の簡単な説明】
【００４６】
【図１】メールにより記録再生装置を外部からリモート操作する方法の一例を説明する概略図。
【図２】図１に示したリモート操作の一例を説明する概略図。
【図３】図１に示したリモート操作の別の一例を説明する概略図。
【符号の説明】
【００４７】
１…情報記録再生装置、９９…表示装置、１００…通信網、２０１…メール端末。
【図１】
2006155806.tif 000003
【図２】
2006155806.tif 000004
【図３】
2006155806.tif 000005